(57)【要約】      （修正有）【課題】使用し易く且つテープを折り返すことが可能な折り返し機能付きテープカッターを実現する。【解決手段】折り返し機能付きテープカッターは本体１０を有する。可動台１２は本体にその上で可動となるように取り付けられる。弾性ユニットは本体と可動台との間に取り付けられる。カッター刃１４は、本体の一端に取り付けられる。揺動ユニット２０は、カッター刃と可動台との間に取り付けられ且つ可動台に連結されている。揺動ユニットは可動台に枢動可能に連結されている。【選択図】図１
2017186103.tif 000002
【特許請求の範囲】
【請求項１】
本体、
前記本体にその上で可動となるように取り付けられ且つ一端にストッパーが配置された可動台、
前記本体と前記可動台との間に取り付けられ、前記可動台をその元の位置に押し戻す弾性力を付与する弾性ユニット、
前記本体の一端に取り付けられるカッター刃、及び、
前記可動台の前記ストッパーと前記カッター刃との間に取り付けられ且つ前記可動台に枢動可能に連結され、また底端部を有する揺動ユニット、を備える、
折り返し機能付きテープカッター。
【請求項２】
前記揺動ユニットの底部が前記本体に枢動可能に連結される、請求項１に記載の折り返し機能付きテープカッター。
【請求項３】
前記揺動ユニットが前記ストッパーに枢動可能に連結される、請求項１又は２に記載の折り返し機能付きテープカッター。
【請求項４】
押出ユニットが前記揺動ユニットの底端部に枢動可能に連結され、調節ノブが前記本体に取り付けられ且つ前記本体に対して回転可能であり、前記押出ユニットが前記調節ノブに連結されているため、前記押出ユニットが前記揺動ユニットに対して枢動可能である、請求項１〜３のいずれか一項に記載の折り返し機能付きテープカッター。
【請求項５】
前記調節ノブにトラックが形成され、前記トラックが前記押出ユニットを沿わせて動かすためのものである、請求項４に記載の折り返し機能付きテープカッター。
【請求項６】
制限部が前記本体内に配置され且つ前記押出ユニットに当接する、請求項４又は５に記載の折り返し機能付きテープカッター。
【請求項７】
前記制限部が前記本体から突出し且つ前記押出ユニットの底部に連絡する隆条部を有する、請求項６に記載の折り返し機能付きテープカッター。
【請求項８】
第１連結部が前記可動台の前記ストッパーから張り出して形成され、縦に細長い溝が前記第１連結部に形成され且つ前記可動台の移動方向と直角に交わり、
第２連結部が前記揺動ユニットに形成され且つ前記細長い溝内に回転可能に収容される、請求項１〜７のいずれか一項に記載の折り返し機能付きテープカッター。
【請求項９】
前記カッター刃が前記本体にしっかりと取り付けられる、請求項１〜８のいずれか一項に記載の折り返し機能付きテープカッター。
【請求項１０】
前記揺動ユニットの前記可動台との連結枢支点が、前記揺動ユニットの前記本体との連結枢支点の上にある、請求項２〜９のいずれか一項に記載の折り返し機能付きテープカッター。
【発明の詳細な説明】
【技術分野】
【０００１】
本発明はテープカッター、特にはテープを折り返すことができて便利な折り返し機能付きテープカッターに関する。
【背景技術】
【０００２】
物品を貼りつけるにはテープを用い、一定の長さのテープを取り出すために、テープリールは常に従来型のテープカッターに取り付けておく。テープの端を引っ張るとテープリールがこの従来型のテープカッターに対して回転してテープが少しずつ繰り出される。テープを特定の長さまで引き出したら、その特定の長さのテープをテープカッターに取り付けられたカッター刃で切断し、ユーザはその特定の長さのテープで物品を貼りつけることができる。
【０００３】
しかしながら、従来型のテープカッターでは、小売業者の梱包作業員によってテープの端が物品に貼り付けられてしまうため、その物品を開封したい場合に、ユーザはテープの端を爪で捲って物品から剥がさなくてはならず、使用には不便である。このため、従来型の折り返し機能付きテープカッターを用いて、テープの端に折り返し部を形成する。小売業者の梱包作業員は、折り返し部をつまんでテープを引っ張って物品にテープを貼り付けることができるため、ユーザはテープを物品から簡単に剥がすことができる。
テープを折り返すことができる従来型のテープカッターは、特許文献１（以下、参考文献と称する）により開示されている。この従来型のテープカッターは、テープカッターに枢動可能に取り付けられたカッター刃プレートを備える。ユーザがテープを引っ張り出してこのカッター刃プレートに貼り付けてからテープを切断すると、カッター刃プレートを戻そうとするバネの力が働く。カッター刃プレートが元の位置に戻る時、このカッター刃プレートに張り付いているテープは後ろに引っ張られ、テープの粘着面は互いに貼り合わされてテープに折り返し部を形成するため、ユーザはその折り返し部を引っ張って物品からテープを剥がすことができて便利である。
【０００４】
しかしながら、参考文献にあるこの従来型のテープカッターを使用する場合、ユーザは、テープを引っ張りながらテープをカッター刃プレートに慎重に貼り付ける必要がある。これによってカッター刃プレートがバネの作用で元の位置まで枢動して戻り、テープの折り返し部が形成される。したがって、参考文献にある従来型のテープカッターは使いにくい。さらに、カッター刃は従来型のテープカッターのカッター刃プレートと一体化されているため、テープを引っ張った時に、所望の長さまでテープを引き出す前にテープが誤って切断されてしまう場合がある。
【先行技術文献】
【特許文献】
【０００５】
【特許文献１】実用新案登録第３１５９３８６号
【発明の概要】
【発明が解決しようとする課題】
【０００６】
本発明の主な目的は、折り返し機能付きテープカッターを提供することである。ユーザが一定の長さのテープを引き出すと、揺動ユニットは自動的に方向を変えてテープの折り返し部を形成する。ユーザは揺動ユニットにテープを慎重に貼り付ける必要がなく、テープカッターの使い勝手は向上する。
【課題を解決するための手段】
【０００７】
上記の目的を達成するため、本発明では、本体、可動台、弾性ユニット、カッター刃及び揺動ユニットを備えた折り返し機能付きテープカッターを提供する。
【０００８】
可動台は本体にその上で可動となるように取り付けられ、この可動台の一端にはストッパーが取り付けられる。
【０００９】
弾性ユニットは本体と可動台との間に取り付けられ、可動台を元の位置に押し戻す弾性力を付与する。
【００１０】
カッター刃は、本体の一端に取り付けられる。
【００１１】
揺動ユニットは、可動台のストッパーとカッター刃との間に取り付けられ、可動台に枢動可能に連結され、また底端部を有する。
【００１２】
このような構成では、ユーザがある長さのテープを引き出すと、ユーザの引っ張る力により可動台が本体に対して動きだし、揺動ユニットは本体に対して方向を変えて枢動する。テープをカッター刃で切断すると、残りのテープはひとりでにこの揺動ユニットに張り付く。可動台が弾性ユニットの弾性力により元の位置に戻ると揺動ユニットは揺り戻され、残りのテープの粘着面同士は貼り合わされて折り返し部を形成する。したがって、ユーザは揺動ユニットにテープを慎重に貼り付ける必要がなく、テープカッターの使い勝手は向上する。
【００１３】
本発明の他の目的、利点及び今までにない特徴は、添付の図面と併せて以下の詳細な説明を読むことで一層明らかとなる。
【図面の簡単な説明】
【００１４】
【図１】本発明の折り返し機能付きテープカッターの斜視図である。
【図２】図１の折り返し機能付きテープカッターの分解斜視図である。
【図３】図１の折り返し機能付きテープカッターの部分断面拡大斜視図である。
【図４】非折り返しモード時の図１の折り返し機能付きテープカッターの部分断面図である。
【図５】非折り返しモード時の図１の折り返し機能付きテープカッターの動作時部分側方断面図である。
【図６】図１の折り返し機能付きテープカッターの折り返し動作時部分側方断面図である。
【図７】図１の折り返し機能付きテープカッターの折り返し動作時部分側方断面図である。
【図８】図１の折り返し機能付きテープカッターの折り返し動作時部分側方断面図である。
【発明を実施するための形態】
【００１５】
図１〜３を参照する。本発明の折り返し機能付きテープカッターは、本体１０、可動台１２、弾性ユニット１３、カッター刃１４及び揺動ユニット２０を備える。
可動台１２は本体１０の上で可動となるように取り付けられ、テープ４０は可動台１２上に回転可能に取り付けられる。ある長さのテープ４０を引き出すと、テープ４０が可動台１２に対して回転し、同時に可動台１２も本体１０に対して動き始める。ストッパー１２１は可動台１２の一端の、カッター刃１４に隣接した位置に配置される。弾性ユニット１３を本体１０と可動台１２との間に取り付けることで可動台１２を元の位置に押し戻す弾性力を得る。カッター刃１４は本体１０の一端に取り付けられ、引き出したテープ４０を切断するのにストッパー１２１と連絡している。カッター刃１４は本体１０にしっかりと取り付けられる。
揺動ユニット２０は可動台１２のストッパー１２１とカッター刃１４との間に取り付けられ、また可動台１２に枢動可能に連結される。揺動ユニット２０はストッパー１２１に枢動可能に連結され、揺動ユニット２０の底端部は本体１０に枢動可能に連結される。揺動ユニット２０の可動台１２との連結枢支点は、揺動ユニット２０の本体１０との連結枢支点の上にある。そのため、可動台１２が本体１０に対して動くと、可動台１２は揺動ユニット２０を可動台１２及び本体１０に対して枢動させ、その方向を変えさせることができる。したがって、ユーザはテープ４０を揺動ユニット２０に慎重に貼り付けなくてよく、揺動ユニット２０はひとりでに枢動及び揺動する。さらに、カッター刃１４は本体１０にしっかりと取り付けられるため、テープ４０を引っ張る間、所望の長さまで引き出す前にテープ４０が誤って切断されてしまうことがない。
【００１６】
第１連結部１２２が、可動台１２のストッパー１２１から張り出して形成される。縦に細長い溝１２４がこの第１連結部１２２に形成され、この溝は可動台１２の移動方向と直角に交わる。第２連結部２２は揺動ユニット２０に形成され、細長い溝１２４内に回転可能に収容される。さらに、第２連結部２２は連結ロッドにもなり得る。揺動ユニット２０は可動台１２のストッパー１２１に、この第１連結部１２２及び第２連結部２２により枢動可能に連結される。
【００１７】
揺動ユニット２０の底端部は、揺動ユニット２０の底端部に形成された枢動ロッドにより本体１０に直接、枢動可能に連結される。あるいは、モードを切り換えるための調節ノブ３０を本体１０に取り付ける。揺動ユニット２０の底端部を調節ノブ３０に枢動可能に連結するため、揺動ユニット２０の底端部は本体１０上で間接的に枢動する。
本発明において、折り返し機能付きテープカッターは、調節ノブ３０を備える。調節ノブ３０は本体１０に回転可能に取り付けられる。押出ユニット２４が、揺動ユニット２０の底端部に枢動可能に連結される。調節ノブ３０にはトラック３２が形成され、押出ユニット２４をトラック３２に沿って動かすことを可能にしており、押出ユニット２４はプレート又はロッドになり得る。トラック３２にはトラックホール３２２が形成される。押出ユニット２４をこのトラックホール３２２に可動となるように差し込むと、押出ユニット２４はトラックホール３２２に沿ってトラック３２に対して動き、押出ユニット２４は調節ノブ３０に連結され、また調節ノブ３０に対して動く。したがって、調節ノブ３０により折り返しモードと非折り返しモードとの間での切り換え効果が得られる。制限部１５が本体１０内に配置され、押出ユニット２４に当接する。制限部１５は本体１０の内壁から突出し且つ押出ユニット２４の底部に連絡する隆条部になり得る。
【００１８】
本発明の折り返し機能付きテープカッターを非折り返しモードに切り換えたい場合は、調節ノブ３０を回転させて押出ユニット２４を揺動ユニット２０に対して枢動させ、可動台１２に当接させる。
図４、５を参照する。ユーザがある長さのテープ４０を引き出して可動台１２を本体１０に対して動かすと、可動台１２は押出ユニット２４を押して当接する。押出ユニット２４はトラック３２に沿って調節ノブ３０に対して動き、また可動台１２に合わせて揺動ユニット２０を本体１０に対して動かす。その間、揺動ユニット２０は本体１０に対して枢動も方向転換もしない。したがって、本発明の折り返し機能付きテープカッターを非折り返しモードで利用することができる。
【００１９】
図６〜８を参照する。本発明の折り返し機能付きテープカッターを折り返しモードに切り換えたい場合は、調節ノブ３０を回転させて押出ユニット２４を揺動ユニット２０に対して、可動台１２に当接させることなくある位置まで枢動させる。制限ユニット１５を用いて調節ノブ３０の回転角度を制限し、制限ユニット１５は、調節ノブ３０の回転限度をユーザに伝える役目を果たす。テープ４０を引っ張ると、テープ４０が可動台１２に対して回転し、同時に可動台１２も本体１０に対して動く。可動台１２が動くと、揺動ユニット２０も枢動して、本体１０に対する方向が変わる。
図７を参照する。カッター刃１４でテープ４０を切断すると、残りのテープ４０は揺動ユニット２０にひとりでに張り付く。したがって、テープ４０を切断し、可動台１２が弾性ユニット１３の弾性力により元の位置に戻ると、揺動ユニット２０は可動台１２により揺り戻され、残りのテープ４０の粘着面同士は貼り合わされて折り返し部４２がテープ４０に形成される。したがって、ユーザは、この折り返し部４２をつまんで残りのテープ４０を引き出すことができて便利である。
さらに、折り返し機能付きテープカッターを折り返しモードで使用し、テープ４０を引き出して可動台１２を動かす又は可動台１２を元の位置に戻す場合、揺動ユニット２０の本体１０との連結枢支点は回転の支点であり、揺動ユニット２０の可動台１２との連結枢支点は力点である。
【００２０】
本発明の折り返し機能付きテープカッターを使用する場合、ユーザはテープ４０を揺動ユニット２０に慎重に貼り付ける必要がなく、揺動ユニット２０はひとりでに揺動して折り返し部４２を形成してもよいため、折り返し機能付きテープカッターの使い勝手は向上する。
また、調節ノブ３０を回転させて折り返し機能付きテープカッターの折り返しモード又は非折り返しモードに切り換えることでユーザの異なる使用目的に応えることも、折り返し機能付きテープカッターの応用範囲を広げることもできる。さらに、カッター刃１４を本体１０にしっかりと取り付けるため、テープ４０を引っ張った時にテープ４０が誤って切断されてしまうことがない。
【００２１】
本発明の構造及び機能に関する詳細と共に本発明の数々の特徴及び利点についてこれまで述べてきたが、本開示は説明の便宜上のものにすぎず、添付の請求項で用いた文言の広く一般的な意味によって示される限度まで、細部に関し、特には形状、サイズ及び部品の配置の点で、本発明の原理内で変更を加え得る。
【図１】
2017186103.tif 000003
【図２】
2017186103.tif 000004
【図３】
2017186103.tif 000005
【図４】
2017186103.tif 000006
【図５】
2017186103.tif 000007
【図６】
2017186103.tif 000008
【図７】
2017186103.tif 000009
【図８】
2017186103.tif 000010